(57)【特許請求の範囲】
【請求項１】
立体状の商品見本を展示するディスプレイ台に取付けられる商品見本展示用アタッチメントであって、前記ディスプレイ台の前面に配設されて当該ディスプレイ台に係止固着される横長帯状の透明平板部および当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなることを特徴とする商品見本展示用アタッチメント。
【請求項２】
請求項１記載の商品見本展示用アタッチメントにおいて、商品見本展示用アタッチメントは透明なプラスチックにより形成されていることを特徴とする商品見本展示用アタッチメント。
【請求項３】
本体キャビネットの前面を開閉する外扉に形成されたディスプレイ室内に配設され、複数の商品見本を展示するディスプレイ台と、前記ディスプレイ台上に展示された複数の商品見本に対応して商品のコールド，ホット状態を表す冷温情報および商品の価格情報を表示する商品情報表示部品とを備え、前記商品情報表示部品をディスプレイ台の前面に設置してなる自動販売機の商品見本展示装置において、前記ディスプレイ台の前面に配設されて当該ディスプレイ台に係止固着される横長帯状の透明平板部、及び当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなる商品見本展示用アタッチメントを設け、当該商品見本展示用アタッチメントの透明平板部を前記商品情報表示部品に前後に重ねて装着したことを特徴とする自動販売機の商品見本展示装置。
【請求項４】
請求項３に記載の自動販売機の商品見本展示装置において、商品情報表示部品は、商品の冷温情報および価格情報を表示する液晶表示部を有し、当該液晶表示部を保護する横長帯状の透明なカバー部材を装備してなる商品情報デジタルディスプレイであり、当該カバー部材に代えて商品見本展示用アタッチメントの透明平板部を前記商品情報デジタルディスプレイの前面に重ねて装着してなることを特徴とする自動販売機の商品見本展示装置。
【請求項５】
請求項３に記載の自動販売機の商品見本展示装置において、商品情報表示部品は、商品のコールド，ホット状態を表す冷温情報を表示する冷温表示部材、及び商品の価格情報を表示する価格表示部材からなり、前記商品見本展示用アタッチメントの透明平板部を前記冷温表示部材と価格表示部材とともに前後に重ね合わせて配設したことを特徴とする自動販売機の商品見本展示装置。
【請求項６】
請求項３に記載の自動販売機の商品見本展示装置において、商品情報表示部品は、商品のコールド，ホット状態を表す冷温情報を表示する冷温表示部材、及び商品の価格情報をデジタル表示する価格表示ユニットからなり、前記商品見本展示用アタッチメントの透明平板部を、前記価格表示ユニットの前面に配備される冷温表示部材と前後に重ね合わせて配設したことを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に商品見本を展示する際に用いられる商品見本展示用アタッチメント、及びこの商品見本展示用アタッチメントを適用した自動販売機の商品見本展示装置に関するものである。
【背景技術】
【０００２】
この種の従来の自動販売機の商品見本展示装置について図１４を用いて説明する。図１４は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバー及びロック付ハンドル、商品取出口２０３などが設けられている。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温パターン（寒色である青色，暖色である赤色）を表示する冷温表示板及び商品の価格情報を表示する価格表示板が装着される。なお、前記冷温表示板，価格表示板に替えて液晶ディスプレイ（ＬＣＤ）を備えた商品情報デジタルディスプレイを用いて冷温表示を行うとともに価格表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した係合穴に嵌合保持されると、ディスプレイ台７０の内部に設けた照明光源からの光がディスプレイ台７０の係合穴と商品見本８０の底部に形成した光導入部とを通して中空状の商品見本の内部に照射され、商品見本が恰も発光しているように展示されることは周知である。前記商品見本８０は立体、具体的には、缶，瓶，ペットボトルなどの容器形状に一致させた中空状の本体を備えた商品見本や、前記中空状の本体を半分に切断した半割り状の商品見本などがディスプレイ台７０に形成した係合穴に嵌合保持するようにされている。前記商品見本８０は立体状、具体的には、缶，瓶，ペットボトルなどの容器形状に一致させた中空状の本体を備えたもの、前記中空状の本体を半分に切断した半割り状のものなどが一般的であるが、ディスプレイ台７０の係合穴に嵌合させることができない、例えば、缶，瓶，ペットボトルなどの容器から中身飲料などを抜いた空容器などを展示する場合には、ディスプレイ台７０の係合穴に着脱自在な商品見本展示用アタッチメントを用いて空容器を展示するように構成されている（例えば、特許文献１）。
【先行技術文献】
【特許文献】
【０００６】
【特許文献１】特開２００８−２４２５０５号公報
【発明の概要】
【発明が解決しようとする課題】
【０００７】
ところで、特許文献１に記載された立体状の商品見本に加え、プラスチックシートに商品の外観意匠を印刷した矩形平板状のシート状商品見本が知られており、このシート状商品と立体状の商品見本を同一のディスプレイ台に並べて展示することが望まれている。しかしながら、シート状商品見本は立体状の商品見本のようにディスプレイ台の開口部に直接嵌合させることが困難である。このため、シート状商品見本を保持するとともにディスプレイ台の開口部と係合する係合部を備えた商品見本展示用アタッチメントを設けることが考えられる。ところが、シート状商品見本は剛性の弱い薄いプラスチックシートからなることからシート状商品見本の下端のみを保持した場合にはシート状商品見本は起立姿勢を維持することができずに折れ曲がってしまう。このため、商品見本展示用アタッチメントを細長いシート状商品見本の周縁を保持するような大形のものとせねばならず、コストが嵩むという課題を有する。
【０００８】
そこで、本発明は上記の点に鑑みなされたものであり、その目的は前記課題を解決し、シート状商品見本の一部のみを保持した場合にもシート状商品見本の姿勢を維持してディスプレイ台に展示することが可能な商品見本展示用アタッチメント、及び自動販売機の商品見本展示装置を提供することにある。
【課題を解決するための手段】
【０００９】
上記目的を達成するため請求項１に係る商品見本展示用アタッチメントは、立体状の商品見本を展示するディスプレイ台に取付けられる商品見本展示用アタッチメントであって、前記ディスプレイ台の前面に配設されて当該ディスプレイ台に係止固着される横長帯状の透明平板部及び当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなることを特徴とする。
【００１０】
また、請求項２に係る商品見本展示用アタッチメントは、請求項１記載の商品見本展示用アタッチメントにおいて、商品見本展示用アタッチメントは透明なプラスチックにより形成されていることを特徴とする。
【００１１】
また、請求項３に係る自動販売機の商品見本展示装置は、本体キャビネットの前面を開閉する外扉に形成されたディスプレイ室内に配設され、複数の商品見本を展示するディスプレイ台と、前記ディスプレイ台上に展示された複数の商品見本に対応して商品のコールド，ホット状態を表す冷温情報及び商品価格の価格情報を表示する商品情報表示部品とを備え、前記商品情報表示部品をディスプレイ台の前面側に設置してなる自動販売機の商品見本展示装置において、前記ディスプレイ台の前面に配設されて当該ディスプレイ台に係止固着される横長帯状の透明平板部、及び当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなる商品見本展示用アタッチメントを設け、当該商品見本展示用アタッチメントの透明平板部を前記商品情報表示部品に前後に重ねて装着したことを特徴とする。
【００１２】
また、請求項４に係る自動販売機の商品見本展示装置は、請求項３に記載の自動販売機の商品見本展示装置において、商品情報表示部品は、商品の冷温情報及び価格情報を表示する液晶表示部を有し、当該液晶表示部を保護する横長帯状の透明なカバー部材を装備してなる商品情報デジタルディスプレイであり、当該カバー部材に代えて商品見本展示用アタッチメントの透明平板部を前記商品情報デジタルディスプレイの前面に重ねて装着してなることを特徴とする。
【００１３】
また、請求項５に係る自動販売機の商品見本展示装置は、請求項３に記載の自動販売機の商品見本展示装置において、商品情報表示部品は、商品のコールド，ホット状態を表す冷温情報を表示する冷温表示部材、及び商品価格の価格情報を表示する価格表示部材からなり、前記商品見本展示用アタッチメントの透明平板部を前記冷温表示部材とともに前後に重ね合わせて配設したことを特徴とする。
【００１４】
さらに、請求項６に係る自動販売機の商品見本展示装置は、請求項３に記載の自動販売機の商品見本展示装置において、商品情報表示部品は、商品のコールド，ホット状態を表す冷温情報を表示する冷温表示部材、及び商品価格の価格情報をデジタル表示する価格表示ユニットからなり、前記商品見本展示用アタッチメントの透明平板部を、前記価格表示ユニットの前面に配備される冷温表示部材と前後に重ね合わせて配設したことを特徴とする。
【発明の効果】
【００１５】
本発明の請求項１に係る商品見本展示用アタッチメントによれば、立体状の商品見本を展示するディスプレイ台に取付けられる商品見本展示用アタッチメントであって、前記ディスプレイ台の前面に配設されて当該ディスプレイ台に係止固着される横長帯状の透明平板部及び当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなることにより、シート状商品見本を展示する商品見本展示用アタッチメントを立体状の商品見本を展示するディスプレイ台に追加装備することができるので、立体状の商品見本とシート状商品見本を一つのディスプレイ台に混合して展示することができる。また、前記商品見本展示用アタッチメントのレール部に形成したスリット間の幅寸法がシート状商品見本のスリット間の幅寸法よりも小さいことから、前記商品見本展示用アタッチメントのレール部に形成したスリットにシート状商品見本のスリットを差し込んで相互に係合させることによりシート状商品見本が強制的に左右方向に湾曲させられる。したがって、薄い平板からなるシート状商品見本の剛性を高めることができ、これによりシート状商品見本を起立姿勢に維持することができる。
【００１６】
また、請求項２に係る商品見本展示用アタッチメントによれば、請求項１に記載の商品見本展示用アタッチメントにおいて、商品見本展示用アタッチメントは透明なプラスチックにより形成されていることにより、レール部に差し込んで装着されたシート状商品見本の意匠が隠れてしまうことを防止することができる。
【００１７】
また、請求項３に係る自動販売機の商品見本展示装置によれば、本体キャビネットの前面を開閉する外扉に形成されたディスプレイ室内に配設され、複数の商品見本を展示するディスプレイ台と、前記ディスプレイ台上に展示された複数の商品見本に対応して商品のコールド，ホット状態を表す冷温情報及び商品価格の価格情報を表示する商品情報表示部品とを備え、前記商品情報表示部品をディスプレイ台の前面に設置してなる自動販売機の商品見本展示装置において、前記ディスプレイ台の前面に配設されて当該ディスプレイ台に係止固着される横長帯状の透明平板部、及び当該透明平板部の上部に連ねて形成され、薄い平板からなるシート状商品見本の下部に上下方向に延在するとともに下方に開放した二つのスリットが差し込まれる左右方向に延在する塀状のレール部を備え、当該レール部に前記シート状商品見本の二つのスリット間の幅寸法よりも小さい幅寸法で前記各シート状商品見本のスリットと相互に係合するスリットを形成してなる商品見本展示用アタッチメントを設け、当該商品見本展示用アタッチメントの透明平板部を前記商品情報表示部品に前後に重ねて装着したことにより、シート状商品見本を展示する商品見本展示用アタッチメントを立体状の商品見本を展示するディスプレイ台に追加装備することができるので、立体状の商品見本とシート状商品見本を一つのディスプレイ台に混合して展示することができ、また、前記商品見本展示用アタッチメントのレール部に形成したスリット間の幅寸法がシート状商品見本のスリット間の幅寸法よりも小さいことから、前記商品見本展示用アタッチメントのレール部に形成したスリットにシート状商品見本のスリットを差し込んで相互に係合させることによりシート状商品見本が強制的に左右方向に湾曲させられる。したがって、薄い平板からなるシート状商品見本の剛性を高めることができ、これによりシート状商品見本を起立姿勢に維持することができる。
【００１８】
また、請求項４に係る自動販売機の商品見本展示装置によれば、請求項３に記載の自動販売機の商品見本展示装置において、商品情報表示部品は、商品の冷温情報及び価格情報を表示する液晶表示部を有し、当該液晶表示部を保護する横長帯状の透明なカバー部材を装備してなる商品情報デジタルディスプレイであり、前記カバー部材に代えて商品見本展示用アタッチメントの透明平板部を前記商品情報デジタルディスプレイの前面に重ねて装着してなることにより、商品見本展示用アタッチメントの透明板部を、液晶表示部を保護する横長帯状の透明なカバー部材として兼用することが可能となる。
【００１９】
また、請求項５に係る自動販売機の商品見本展示装置によれば、請求項３に記載の自動販売機の商品見本展示装置において、商品情報表示部品は、商品のコールド，ホット状態を表す冷温情報を表示する冷温表示部材、及び商品価格の価格情報を表示する価格表示部材からなり、前記商品見本展示用アタッチメントの透明平板部を前記冷温表示部材と価格表示部材とともに前後に重ね合わせて配設したことにより、ディスプレイ台の前面に配設された冷温表示部材に重ねて当該ディスプレイ台上に展示された複数の商品見本に対応する商品価格の価格情報を表示する価格表示部材を備えた既設の自動販売機にも商品見本展示用アタッチメントを簡単に追加装備することができる。
【００２０】
さらに、請求項６に係る自動販売機の商品見本展示装置によれば、請求項３に記載の自動販売機の商品見本展示装置において、商品情報表示部品は、商品のコールド，ホット状態を表す冷温情報を表示する冷温表示部材、及び商品価格の価格情報をデジタル表示する価格表示ユニットからなり、前記商品見本展示用アタッチメントの透明平板部を、前記価格表示ユニットの前面に配備される冷温表示部材と前後に重ね合わせて配設したことにより、ディスプレイ台の前面側に配設された価格表示ユニットに重ねて当該ディスプレイ台上に展示された複数の商品見本に対応する商品のコールド，ホット状態を表す冷温情報を表示する冷温表示部材を備えた既設の自動販売機にも商品見本展示用アタッチメントを簡単に追加装備することができる。
【図面の簡単な説明】
【００２１】
【図１】本発明の実施の形態１に係る自動販売機の商品見本展示装置を示し、（ａ）はディスプレイ台の要部斜視図、（ｂ）は商品展示用アタッチメントを分解したディスプレイ台の要部斜視図である。
【図２】図１に示したディスプレイ台を示し、（ａ）はディスプレイ台の分解斜視図、（ｂ）は（ａ）の右端側の拡大斜視図である。
【図３】商品展示用アタッチメントとシート状商品見本とを分解して示し、（ａ）はその斜視図、（ｂ）は（ａ）の要部拡大図、（ｃ）は取付け状態の側面図である。
【図４】本発明の実施の形態２に係る自動販売機の商品見本展示装置を示すディスプレイ台の要部斜視図である。
【図５】図４に示したディスプレイ台の分解斜視図である。
【図６】図４に示したディスプレイ台の正面視右端側の拡大斜視図である。
【図７】図４に示したディスプレイ台のブラケット（固定部材）を示し、（ａ）はその前方斜め上方から見た斜視図、（ｂ）はその側面図である。
【図８】図４に示したディスプレイ台の側面図である。
【図９】図４に示したディスプレイ台から商品展示用アタッチメントを取外して示す分解斜視図である。
【図１０】図４に示したディスプレイ台が配設されたディスプレイ室の側面図である。
【図１１】本発明の実施の形態３に係る自動販売機の商品見本展示装置を示し、（ａ）はディスプレイ台の要部斜視図、（ｂ）は（ａ）の正面視右端側の拡大斜視図である。
【図１２】図１１に示したディスプレイ台の分解斜視図である。
【図１３】図１１に示したディスプレイ台の組立てを示す分解斜視図である。
【図１４】本発明が対象とする自動販売機の一例を示す斜視図である。
【発明を実施するための形態】
【００２２】
以下、本発明の実施の形態に係る自動販売機の商品見本展示装置について添付図面を参照して説明する。なお、本発明の実施の形態に係る自動販売機の商品見本展示装置が従来装置と相違する点は特にディスプレイ台の周辺であり、ここでは従来装置と相違するディスプレイ台の周辺について説明することとし、また、自動販売機の全体構成は図１４に示したものと同一であるので適宜図１４を参照しつつ説明を行う。
（実施の形態１）
図１において、１はディスプレイ台であり、このディスプレイ台１は鋼板製の固定部材２と商品載置台３とからなる。前記固定部材２は商品載置台３を支持する腕木としてのブラケット２１（図２参照）を有し、当該ブラケット２１が中扉６０（図１４参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示及び商品価格の価格表示を行う液晶表示部４１を備えている。この商品情報デジタルディスプレイ４が請求項３の商品情報表示部品を構成する。５は左右方向に延在する鋼板製の取付金具であり、前記固定部材２にねじ止めされて商品情報デジタルディスプレイ４の下端を保持するものである。
【００２３】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラケット２１は左右対称であるので、ここでは正面視右側のブラケット２１を代表として説明する。前記ブラケット２１には上面に向けて開放した挿脱溝部２１ａが形成されるとともに前縁に商品情報デジタルディスプレイ４を係止する係止部２１ｂ、及びねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図１４参照）に設けた係止穴に嵌合させることにより固定部材２が中扉６０に係止固定される。
【００２４】
前記商品載置台３は、図２に示すように、上面壁３１の両端から下方に延在された左右側壁３２を備えてなり、上面壁３１には商品見本８０を嵌合保持する係合穴３１１が左右方向に複数並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には内側に向けて切起した当接片３４が形成されている。
【００２５】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部は後方斜め下方に向けて傾斜した係合片４３２が形成されている。この係合片４３２は固定部材２の天板２２に形成された係止片２２２に係合するものである。なお、図２の（ｂ）に示すように、化粧枠４３の前面から側方寄りには切り起こしにより係止爪４３３が形成されている。図示は省略したが、化粧枠４３の左端側にも前記係止爪４３３と向い合うように係止爪が切り起こしにより形成されているものである。これらの係止爪４３３により化粧枠４３の前面に配備された横長帯状の透明なカバー部材４４が保持されているものである。前記透明なカバー部材４４は、デジタル表示ユニット４２の液晶表示部４１を保護するものである。
【００２６】
前記取付金具５は縦断面が略Ｌ字形に形成された鋼板製になり、白色塗装が施されている。また、前記取付金具５の前面側の板面（Ｌ字形における長辺側の板面）には階段状の段差部５１（図２の（ｂ）参照）が形成されているとともにねじＳが挿通するねじ挿通穴５２が穿孔されている。
【００２７】
次に、ディスプレイ台１の組立てについて説明すると、まず、左右一対の固定部材２を中扉６０（図１４参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切り起した当接片３４が固定部材２の挿脱溝部２１ａに嵌合しているので、商品載置台３の前後方向への移動が規制される。
【００２８】
次いで、前記商品情報デジタルディスプレイ４を中扉６０（図１４参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の中扉６０（図１４参照）への固着位置を適宜定めることにより、商品情報デジタルディスプレイ４の左右端部は、当該左右ブラケット２１よりも外側に突出しているものである。
【００２９】
前述したように固定部材２に商品載置台３をセットするとともに固定部材２に商品情報デジタルディスプレイ４を取付けたディスプレイ台１には、図１に示すように、商品載置台３に載置された立体状の商品見本８０とシート状商品見本８１とを起立姿勢で展示している。シート状商品見本８１は、可撓性の薄いプラスチックシートに商品の外観意匠を印刷した矩形平板状の透明若しくは半透明のシートからなるものである。このシート状商品見本８１は本発明に係る商品見本展示用アタッチメント６を介してディスプレイ台１に取り付けられるが、これについては後述する。そして、ディスプレイ台１の前面に位置する商品情報デジタルディスプレイ４における各液晶表示部４１にそれぞれの商品見本８０，８１のコールド，ホット状態を表す冷温状態及び商品価格が表示される。なお、商品情報デジタルディスプレイ４の下端を保持する取付金具５は、図１４に示したディスプレイ室５０の前面の透明板４０に設けられた商品選択ボタンユニット９０の背後に位置しており、自動販売機の正面からは商品選択ボタンユニット９０に隠れて見えないようになっている。
【００３０】
さて、シート状商品見本８１を起立姿勢でディスプレイ台１に展示するための商品見本展示用アタッチメント６について図３を用いて説明する。前記商品見本展示用アタッチメント６は、商品情報デジタルディスプレイ４の前面に配備された横長帯状の透明なカバー部材４４に相当する大きさを有する透明平板部６１及び当該透明平板部６１の上部に連ねて形成されたレール部６２からなる透明なプラスチック成形品である。前記透明平板部６１は、商品情報デジタルディスプレイ４の化粧枠４３に形成された左右の係止爪４３３の間の間隔に相当する横幅を有する横長帯状に形成されている。前記透明平板部６１の上部に連ねて形成されたレール部６２は、透明平板部６１の上端から前方に突出する庇部６１０（図３の（ｃ）参照）の略中央から上側に突出し、左右方向に延在する塀状に形成されている。レール部６２の前面には差し込み溝６１１が形成されている。この差し込み溝６１１には次に示すシート状商品見本８１が差し込まれるものである。また、前記レール部６２には複数のスリット６２１・・・が形成されている。
【００３１】
前記シート状商品見本８１は、可撓性の薄いプラスチックシートに商品の外観意匠を印刷した矩形平板状の透明若しくは半透明のシートからなるものである。このシート状商品見本８１の下部には上下方向に延在するとともに下方に開放した少なくとも二つのスリット８１０、８１０が設けられ、左右側縁の下端寄りには切欠８１１，８１１がそれぞれ設けられている。前記スリット８１０、８１０の深さは、前記商品見本展示用アタッチメント６のレール部６２におけるスリット６２１の下縁から差し込み溝６１１の溝底までの長さより僅かに長い寸法に定められている。
【００３２】
ここで、前記商品見本展示用アタッチメント６のレール部６２に形成された複数のスリット６２１・・・は、シート状商品見本８１の下部に形成されたスリット８１０、８１０に対応してそれぞれのシート状商品見本８１ごとに設けられているものである。図３の（ｂ）に示すように、各シート状商品見本８１の下部に形成されたスリット８１０、８１０の間の幅寸法Ｌ２と、このスリット８１０、８１０に対応してレール部６２に形成された一対のスリット６２１，６２１の間の幅寸法Ｌ１は、Ｌ２＞Ｌ１となるように定められている。
【００３３】
次に、前記商品見本展示用アタッチメント６のディスプレイ台１への取付け、及びシート状商品見本８１の商品見本展示用アタッチメント６への取付けについて説明する。前記商品見本展示用アタッチメント６は、商品情報デジタルディスプレイ４の前面に配備された横長帯状の透明なカバー部材４４を取外したうえで、透明平板部６１を化粧枠４３の前面に配備した後、化粧枠４３に形成された係止爪４３３により係止固定する。このように、ディスプレイ台１に装着された商品見本展示用アタッチメント６のレール部６２にシート状商品見本８１が次のように取付けられる。すなわち、シート状商品見本８１の下部に設けたスリット８１０、８１０をレール部６２に形成した一対のスリット６２１，６２１に差し込む。この場合、左右のスリット８１０、８１０は互い違いにレール部６２を跨ぐようにして一対のスリット６２１，６２１に差し込まれる。つまり、シート状商品見本８１における左右のスリット８１０、８１０に挟まれた下端中央部８１Ａがレール部６２の前面に位置する一方、左右のスリット８１０、８１０の外側の下端両端部８１Ｂ，８１Ｂがレール部６２の背面に位置するようにスリット８１０、８１０をレール部６２のスリット６２１，６２１に差し込む。
【００３４】
前述のように、シート状商品見本８１における左右のスリット８１０、８１０が互いに違いにレール部６２を跨ぐようにして一対のスリット６２１，６２１に差し込む場合、シート状商品見本８１における左右のスリット８１０、８１０の間の幅寸法Ｌ２とレール部６２の一対のスリット６２１，６２１の間の幅寸法Ｌ１とがＬ２＞Ｌ１に定められていることから、シート状商品見本８１は平面から見て前方側に凸となるように湾曲する。すなわち、シート状商品見本８１の下端中央部８１Ａがレール部６２の前面に位置して前方側に凸となるように強制的に湾曲させられる一方、レール部６２の背面に位置するシート状商品見本８１の下端両端部８１Ｂ，８１Ｂもシート状商品見本８１の下端中央部８１Ａに準じて湾曲することからシート状商品見本８１は平面から見て前方側に凸となるように湾曲するのでその剛性を高めることができる。そして、シート状商品見本８１の左右のスリット８１０、８１０をレール部６２に形成した一対のスリット６２１，６２１に差し込むことによってシート状商品見本８１が位置決めされるとともに前方側に凸となるように湾曲した状態が維持されることにより薄いプラスチックシートからなるシート状商品見本８１を起立姿勢に自立させることが可能となる。このように、ディスプレイ台１に取付けられた商品見本展示用アタッチメント６のレール部６２と商品載置台３の複数の係合穴３１１にシート状商品見本８１と立体状の商品見本８０を適宜取付けることにより、シート状商品見本８１と立体状の商品見本８０を同一のディスプレイ台１に並べて展示することができるものである。なお、シート状商品見本８１の下端中央部８１Ａを差し込み溝６１１に差し込むのは、自立したシート状商品見本８１が振動などにより前傾若しくは逆方向に傾くのを防止するためであるが、必ずしも必要なものではない。
【００３５】
ここで、前記シート状商品見本８１の左右側縁の下端寄りには切欠８１１（図３の（ａ）参照）が設けられている。この切欠８１１について次に説明する。前述したような矩形平板状のシート状商品見本８１の下端を湾曲させた際、シート状商品見本８１の全体が湾曲してしまうことがある。そこで、シート状商品見本８１には左右側縁の下部側に切欠８１１を設けている。このように、切欠８１１を有するシート状商品見本８１の下端を湾曲させる、つまり、左右のスリット８１０、８１０は互いに違いにレール部６２を跨ぐようにして差し込んだ場合、シート状商品見本８１の切欠８１１よりも下部側は湾曲（曲率の小さい湾曲）するが、前記切欠８１１によって下部側との繋がりが一部絶たれた切欠８１１よりも上部側の湾曲は下部側の湾曲に対して比較的小さくなる（曲率の大きな湾曲となる）。このように、切欠８１１を形成することによりシート状商品見本８１の湾曲を抑えることができる一方、切欠８１１よりも下部側は湾曲することから薄いプラスチックシートからなるシート状商品見本８１を安定して起立姿勢に維持することができる。なお、切欠８１１は角型に限らず円弧形状とすることもでき、さらに、切欠８１１に代えて切り込みを入れることもできるものである。
【００３６】
なお、前記実施の形態ではシート状商品見本８１と立体状の商品見本８０とを一つのディスプレイ台１に混合して展示することについて説明したが、立体状の商品見本８０の前面に位置する商品見本展示用アタッチメント６の保持溝６２１に広告シートを装着することもできる。この場合、広告シートはシート状商品見本８１と同様に可撓性の薄い透明なプラスチックシートからなり、「新発売」などの広告を表示したものである。
【００３７】
前述したように本発明の実施の形態に係る商品見本展示用アタッチメント６によれば、立体状の商品見本８０を展示するディスプレイ台１に取付けられる商品見本展示用アタッチメント６であって、前記ディスプレイ台１の前面に配設されて当該ディスプレイ台１に係止固着される横長帯状の透明平板部６１及び当該透明平板６１部の上部に連ねて形成され、薄い平板からなるシート状商品見本８１の下部に上下方向に延在するとともに下方に開放した二つのスリット８１０，８１０が差し込まれる左右方向に延在する塀状のレール部６２を備え、当該レール部６２に前記シート状商品見本８１の二つのスリット８１０，８１０間の幅寸法Ｌ２よりも小さい幅寸法Ｌ１（Ｌ２＞Ｌ１）で前記各シート状商品見本８１のスリット８１０，８１０と相互に係合するスリット６２１，６２１を形成してなることにより、シート状商品見本８１を展示する商品見本展示用アタッチメント６を立体状の商品見本８０を展示するディスプレイ台１に追加装備することができるので、立体状の商品見本８０とシート状商品見本８１を一つのディスプレイ台１に混合して展示することができる。また、前記商品見本展示用アタッチメント６のレール部６２に形成したスリット６２１，６２１間の幅寸法（Ｌ１）がシート状商品見本８１のスリット８１０，８１０間の幅寸法（Ｌ２）よりも小さいことから、前記商品見本展示用アタッチメント６のレール部６２に形成したスリット６２１，６２１にシート状商品見本８１のスリット８１０，８１０を差し込んで相互に係合させることによりシート状商品見８１本が強制的に左右方向に湾曲させられる。したがって、薄い平板からなるシート状商品見本８１の剛性を高めることができ、これによりシート状商品見本８１を起立姿勢に維持することができる。
【００３８】
また、前述した本発明の実施の形態１に係る自動販売機の商品見本展示装置によれば、本体キャビネット１０の前面を開閉する外扉２０に形成されたディスプレイ室５０内に配設され、複数の商品見本８０を展示するディスプレイ台１と、前記ディスプレイ台１上に展示された複数の商品見本８０に対応して商品のコールド，ホット状態を表す冷温情報及び商品の価格情報を表示する商品情報表示部品（商品情報デジタルディスプレイ４）とを備え、前記商品情報表示部品（商品情報デジタルディスプレイ４）をディスプレイ台１の前面に設置してなる自動販売機の商品見本展示装置において、前記ディスプレイ台１の前面に配設されて当該ディスプレイ台１に係止固着される横長帯状の透明平板部６１、及び当該透明平板部６１の上部に連ねて形成され、薄い平板からなるシート状商品見本８１の下部に上下方向に延在するとともに下方に開放した二つのスリット８１０，８１０が差し込まれる左右方向に延在する塀状のレール部６２を備え、当該レール部６２に前記シート状商品見本８１の二つのスリット８１０，８１０間の幅寸法Ｌ２よりも小さい幅寸法Ｌ１（Ｌ２＞Ｌ１）で前記各シート状商品見本８１のスリット８１０，８１０と相互に係合するスリット６２１，６２１を形成してなる商品見本展示用アタッチメント６を設け、当該商品見本展示用アタッチメント６の透明平板部６１を前記商品情報表示部品（商品情報デジタルディスプレイ４）に前後に重ねて装着したことにより、シート状商品見本８１を展示する商品見本展示用アタッチメント６を立体状の商品見本８０を展示するディスプレイ台１に追加装備することができるので、立体状の商品見本８０とシート状商品見本８１を一つのディスプレイ台１に混合して展示することができ、また、前記商品見本展示用アタッチメント６のレール部６２に形成したスリット６２１，６２１間の幅寸法Ｌ１がシート状商品見本８１のスリット８１０，８１０間の幅寸法Ｌ２よりも小さいことから、前記商品見本展示用アタッチメント６のレール部６２に形成したスリット６２１，６２１にシート状商品見本８１のスリット８１０，８１０を差し込んで相互に係合させることによりシート状商品見本８１が強制的に左右方向に湾曲させられる。したがって、薄い平板からなるシート状商品見本８１の剛性を高めることができ、これによりシート状商品見本８１を起立姿勢に維持することができる。
【００３９】
上記実施の形態においては、レール部６２が前方を向く庇部６１０の上面に形成したについて説明したが、例えば、庇部６１０が後方を向くものであってもよく、また、透明平板部６１の延長線上にレール部６２を形成したうえで、シート状商品見本８１の下端と当接する当接部を設けることもできる。したがって、レール部６２とはシート状商品見本８１のスリット８１０、８１０を差し込むことによりシート状商品見本８１を湾曲した状態で自立させるものを総称するものである。また、商品見本展示用アタッチメント６は透明平板部６１を商品情報デジタルディスプレイ４のカバー部材４４を兼用するものについて説明したが、これに限るものではない。前記カバー部材４４を残す場合には、取付金具５に商品見本展示用アタッチメント６の透明平板部６１を係止固定する係止爪を設ければよく、前述した実施の形態によりこの発明が限定されるものではない。
（実施の形態２）
上記実施の形態においては、ディスプレイ台の前面に商品情報表示部品としての商品情報デジタルディスプレイ４を配設したものについて説明したが、ディスプレイ台の前面に商品情報表示部品としての冷温表示部材と価格表示部材とを前後に重ね合わせて配設したものの場合、冷温表示部材と価格表示部材との間に商品見本展示用アタッチメント６の透明平板部６１を差し込むこともできるものであり、以下にディスプレイ台の前面に冷温表示部材と価格表示部材を前後に重ね合わせて配設したものについて説明する。図４〜図１０は、本発明の実施の形態２に係る自動販売機の商品見本展示装置を示す。
【００４０】
図４において、１Ａはディスプレイ台であり、このディスプレイ台１Ａは薄板鋼板製の商品載置台３Ａと左右一対の固定部材としてのブラケット２Ａとからなる。前記ブラケット２Ａは商品載置台３Ａを支持する腕木として機能し、当該ブラケット２Ａがディスプレイ室５０の中扉６０（図１４参照）に後述するように係止固定される。前記商品載置台３Ａは、商品見本８０が嵌合係止される複数、この実施の形態では、図５に示すように、１２個の係合穴３１１Ａを備えたステージ状の上面壁３１Ａと、上面壁３１Ａの両端から下方に延在する左右側壁３２Ａ，３２Ａと、上面壁３１Ａの前後端から下方に延在する前面壁３３Ａ及び後面壁（図では見えない）により下面が開放した横長の箱形に形成されている。この商品載置台３Ａは、左右一対のブラケット２Ａに跨る態様で当該左右一対のブラケット２Ａに対して着脱自在に設けられている。前記商品載置台３Ａの前面壁３３Ａには複数の商品見本８０に対応して当該商品見本８０のコールド，ホット状態を表す冷温情報７１が表示された冷温表示部材７２、及び商品価格を表す価格情報７３が表示された価格表示部材７４が着脱自在に係止保持されている。前記冷温表示部材７２、及び価格表示部材７４が商品情報表示部品７を構成し、この例では冷温表示部材７２及び価格表示部材７４が左右に２分割されている。
【００４１】
図５はディスプレイ台１Ａの分解斜視図、図６はディスプレイ台１Ａの正面視右端側の拡大図、図７はディスプレイ台１Ａのブラケット２Ａを示し、（ａ）はその前方斜め上方から見た斜視図、（ｂ）はその側面図、図８はディスプレイ台１Ａの側面図、図９はディスプレイ台１Ａから商品展示用アタッチメント６Ａを取外して示す分解斜視図、図１０はディスプレイ台１Ａが配設されたディスプレイ室５０の側面図であり、これらの図を用いて各部材について更に説明する。前記商品載置台３Ａはステージ状の上面壁３１Ａに複数の係合穴３１１Ａが形成され、左右両端部にはそれぞれ裏面に向けて押し出し形成された突起状の嵌合突起３１２及びストッパ３１３（図６も参照）が設けられている。前記商品載置台３Ａの左右側面壁３２Ａ，３２Ａにはそれぞれ内側に向って突出する支持軸３５が取付けられている。前記支持軸３５は合成樹脂製になり、図５、図６では前記支持軸３５の頭部が示されており、支持軸３５の軸部（不図示）は上面壁３１Ａの嵌合突起３１２の下方まで延在するとともに軸部の上端側の周面の一部を削ぎ取って平坦面とした断面Ｄ状に形成されている（後述図８参照）。また、前記商品載置台３Ａの前面壁３３Ａには左右方向に複数、この実施の形態では１２個の光透過窓３３１が形成されるとともに前面壁３３Ａの下端を前方側に折り返して形成された係止部３３２を備えている。この係止部３３２は前面壁３３Ａとの間に、図６に示すように商品情報表示部品７を保持する係止溝を形成する。さらに、図５に全体を示し、図６で正面視右端側を拡大して示すように、前記商品載置台３Ａの前面壁３３Ａの左右両端部及び中央部には前記係止部３３２により保持された商品情報表示部品７が左右方向にずれるのを防止する係止突起３３３が形成され、また、図６から明らかなように、商品情報表示部品７の脱落を防止するために係止部３３２から突出する突起片３３２１が設けられている。
【００４２】
前記商品載置台３Ａとともにディスプレイ台１Ａを構成する左右一対のブラケット２Ａは左右対称であるので、ここでは正面視右側のブラケット２Ａを代表として説明する。前記ブラケット２Ａには、図７にも示すように、前記支持軸３５を嵌合支持する異形溝２６が形成され、また、ブラケット２Ａの上縁には内側を向くようにガイド片２４が形成され、さらに後端面にはディスプレイ室５０の中扉６０（図１０参照）に設けた角穴（不図示）に引っ掛けて当該ブラケット２Ａを定位置に固定する係合爪２５，２５が切り起こし形成されている。前記異形溝２６は、前記支持軸３５を回転可能に支える前半域の円弧状溝部２６１と、前記円弧状溝部２６１に連ねて後半域に形成され、前記支持軸３５の移動を拘束して商品載置台３Ａを展示位置に保持するスライド溝部２６２と、前記円弧状溝部２６１とスライド溝部２６２との中間位置からブラケット２Ａの上縁に切欠き開口した挿脱溝部２６３とを組合わせて形成されている。なお、前記円弧状溝部２６１は支持軸３５の軸部より一回り大きく形成され、また、前記スライド溝部２６２の高さ寸法ｈは支持軸３５の直径よりも小さい寸法の断面Ｄ状の軸部３５ａ（図８参照）に合わせて形成されている。また、ブラケット２Ａの上縁に内側を向くように形成されたガイド片２４は異形溝２６の挿脱溝部２６３により前後に２分割されている。
【００４３】
前記商品載置台３Ａの係止部３３２に装着して係止保持される商品情報表示部品７は、図５に示すように、複数の商品見本８０に対応して当該商品見本８０のコールド，ホット状態を表す冷温情報７１が表示された冷温表示部材７２、及び商品価格を表す価格情報７３が表示された価格表示部材７４からなる。前記冷温表示部材７２は光透過性のアクリル樹脂により横長帯状に形成されるとともに冷温情報７１の表示領域を上下に区分し、当該上下の表示領域にそれぞれ異なる冷温情報７１を互いに逆さにして表示してなる。この実施の形態では、冷温表示部材７２の上部の表示領域には「ＣＯＬＤ」の文字、下部の表示領域には「ＨＯＴ」の文字が互いに逆さまに表示されている。なお、図には明示されていないが、冷温情報７１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。一方、価格表示部材７４は透明なアクリル樹脂により横長帯状に形成され、上部領域に「\１２０」の価格情報７３が施されて不透明である一方、下部領域が透明に形成されている。これらの冷温表示部材７２及び価格表示部材７４は、価格表示部材７４を前方側に位置するようにして前後に重ね合わせて商品載置台３Ａの前面壁３３Ａに沿って配設される。なお、冷温表示部材７２及び価格表示部材７４は商品載置台３Ａの前面壁３３Ａの左右両端部及び中央部に形成した係止突起３３３（図６参照）間に収まる寸法に定められている。
【００４４】
前記ディスプレイ台１Ａの分解斜視図を示す図５において、９は照明光源としての蛍光灯である。この蛍光灯９はソケット９１を有する左右一対の蛍光灯取付金具９２に装着されるものである。前記蛍光灯取付金具９２はブラケット２Ａと同様に中扉６０（図１０参照）に係止固定される。すなわち、蛍光灯取付金具９２の後端面に板面を切り起して形成された不図示の係合爪をディスプレイ室５０の中扉６０に設けた角穴に引っ掛けることによって中扉６０に係止固定される。なお、左右一対の蛍光灯取付金具９２はそれぞれ左右一対のブラケット２Ａの内方に配設され、左右一対のブラケット２Ａに跨るように商品載置台３Ａを取付けた場合、箱形の商品載置台３Ａの内部に位置するように定められている。このように、蛍光灯９は箱形の商品載置台３Ａ（ディスプレイ台１Ａ）の内部に位置しており、蛍光灯９からの光が商品載置台３Ａの上面壁３１Ａに形成した係合穴３１１Ａを介して商品見本８０の内部に照射されるとともに前面壁３３Ａに形成した光透過窓３３１を介して商品情報表示部品７に照射される。
【００４５】
次に、ディスプレイ台１Ａの組立てについて説明すると、まず、左右一対のブラケット２Ａを中扉６０（図１０参照）に取付ける。このブラケット２Ａの中扉６０への取付けは、ブラケット２Ａの後端面に切り起しにより形成された係合爪２５，２５を中扉６０の所定位置に設けた角穴に挿入係止させる。これによりブラケット２Ａが中扉６０の所定位置に固定される。次いで、中扉６０に固着された左右一対のブラケット２Ａに対して商品載置台３Ａを、左右一対のブラケット２Ａの上方から被せるように装着する。この場合、商品載置台３Ａの左右側壁３２Ａに内側に向けて突出する支持軸３５をブラケット２Ａの挿脱溝部２３３に対峙させた上で、商品載置台３Ａをブラケット２Ａに被せる。そして、商品載置台３Ａの上面壁３１Ａの内壁がブラケット２Ａの上縁に当接すると、支持軸３５がブラケット２Ａの異形溝２６に嵌合した状態で商品載置台３Ａがブラケット２Ａに一体化される。この後、商品載置台３Ａを後方（中扉６０側）にスライドさせると、支持軸３５が異形溝２６のスライド溝部２６２に移動する。この状態を図１０に示し、支持軸３５の断面Ｄ状の軸部３５ａの上端側の平坦面がスライド溝部２６２の平坦な上縁に対峙する。一方、商品載置台３Ａの上面壁３１Ａの左右両端部にそれぞれ裏面に向けて押し出し形成された突起状の嵌合突起３１２及びストッパ３１３が、ブラケット２Ａの上縁に内側を向くように形成された前後のガイド片２４，２４を乗り越えてその後方側に落とし込まれる。この場合、前記嵌合突起３１２及びストッパ３１３がそれぞれのガイド片２４，２４を乗り越えることができるように、支持軸３５の断面Ｄ状の軸部３５ａの上端側の平坦面とスライド溝部２６２の平坦な上縁との間には遊びが形成されている。
【００４６】
前述したように、商品載置台３Ａの上面壁３１Ａの左右両端部にそれぞれ裏面に向けて押し出し形成された突起状の嵌合突起３１２及びストッパ３１３がブラケット２Ａの上縁に形成した前後のガイド片２４，２４を乗り越えてその後方側に落とし込まれると、嵌合突起３１２及びストッパ３１３がガイド片２４，２４に係合する一方、支持軸３５がスライド溝部２６２に嵌合することにより商品載置台３Ａの前後方向の移動が規制され、商品載置台３Ａは商品見本８０を展示する展示位置にセットされる。この状態で、商品載置台３Ａの前面壁３３Ａに形成した係止部３３２に価格表示部材７４を前面にして冷温表示部材７２を重ね合わせた商品情報表示部品７を装着する。この場合、商品情報表示部品７は、左端部若しくは右端部と中央部の係止突起３３３，３３３の間に位置させたうえで、係止部３３２の上方から商品情報表示部品７の背面を前面壁３３Ａに沿わせつつ係止部３３２の保持溝に挿入する。これにより商品情報表示部品７はディスプレイ台１Ａの前面に係止保持される。
【００４７】
前述したように、ブラケット２Ａの異形溝２６に支持軸３５を嵌合させて商品載置台３Ａを商品展示位置にセットするとともに商品載置台３Ａの前面壁３３Ａの係止部３３２に商品情報表示部品７を装着したディスプレイ台１Ａは、図４，図１０に示すように、商品載置台３Ａに載置された複数の商品見本８０を起立姿勢で展示している。そして、ディスプレイ台１Ａの前面に位置する商品情報表示部品７によりそれぞれの商品見本８０のコールド，ホット状態を表す冷温情報７１及び商品価格の価格情報７３（図４、図６参照）が表示される。この場合、商品情報表示部品７の冷温情報７１及び価格情報７３は商品載置台３Ａの前面壁３３Ａに形成された光透過窓３３１の前方に位置しており、ディスプレイ台１Ａの内部に配設された蛍光灯９により照射される。ここで、前記商品情報表示部品７を保持する係止部３３２は、ディスプレイ室５０（図１０参照）の前面を覆う透明板４０の前面に配設された商品選択ボタンユニット９０の背後に位置しており、自動販売機の正面からは商品選択ボタンユニット９０に隠れて見えないようになっている。なお、図１０において、９００は商品選択ボタンユニット９０を透明板４０に取付けるための取付金具である。この取付金具９００は商品選択ボタンユニット９０の幅に対応する幅を有する断面コ字状の横長帯状に形成されている。また、この実施の形態における商品見本８０は、商品を縦方向に半分に切断した半割りタイプのものである。
【００４８】
さて、この実施の形態２に係るシート状商品見本８１を起立姿勢でディスプレイ台１Ａに展示するための商品見本展示用アタッチメント６Ａ（図４、図９、図１０参照）の基本構成は、実施の形態１に係る商品見本展示用アタッチメント６と同一である。すなわち、ディスプレイ台１Ａから取外した状態を示す図９から分かるように、商品展示用アタッチメント６Ａは、横長帯状の透明平板部６１Ａ及び当該透明平板部６１Ａの上部に連ねて形成されたレール部６２Ａからなるプラスチック成形品からなる。前記透明平板部６１Ａの上部に連ねて形成されたレール部６２Ａは、透明平板部６１Ａの上端から前方に突出する庇部６１０（図３の（ｃ）参照）の略中央から上側に突出し、左右方向に延在する塀状に形成されている。レール部６２Ａの前面には差し込み溝６１１Ａが形成され、また、前記レール部６２Ａには複数のスリット６２１Ａ・・・が形成されている。この実施の形態２に係る商品見本展示用アタッチメント６Ａが実施の形態１に係る商品見本展示用アタッチメント６と相違する点は、実施の形態１に係る商品見本展示用アタッチメント６が商品情報デジタルディスプレイ４の化粧枠４３に形成された左右の係止爪４３３の間の間隔に相当する横幅を有するものである、つまり、ディスプレイ台１の左右方向の略横幅に相当するものであるのに対し、前記ディスプレイ台１Ａの横幅方向にｎ分割（ｎ＜２以上の整数）されてなる点である。具体的には、ディスプレイ台１Ａの横幅方向に２分割され、ディスプレイ台１Ａを構成する商品載置台３Ａに形成された１２個の係合穴３１１Ａ（図７，図８参照）の１／２である６個の係合穴３１１Ａに対応する長さのものとして構成されている。
【００４９】
次に、前記商品見本展示用アタッチメント６Ａのディスプレイ台１Ａへの取付けについて説明する。前記商品見本展示用アタッチメント６Ａは、その透明平板部６１Ａを、ディスプレイ台１Ａの前面壁３３Ａに沿って配設された商品情報表示部品７に前後に重ね合わせて装着することによりディスプレイ台１Ａの前面に配備される。具体的には、商品情報表示部品７を構成するところの、前後に重ね合わせて配備された価格表示部材７４と冷温表示部材７２との間に商品見本展示用アタッチメント６Ａの透明平板部６１Ａを挿入し、前記価格表示部材７４と冷温表示部材７２とにより透明平板部６１Ａを挟持固定する。このように、ディスプレイ台１Ａに装着された商品見本展示用アタッチメント６Ａのレール部６２Ａにシート状商品見本８１が取付けられる。このシート状商品見本８１のレール部６２Ａへの取付けは、前述した実施の形態１と同様に、シート状商品見本８１の左右のスリット８１０、８１０（図３の（ａ）参照）をレール部６２Ａに形成した一対のスリット６２１Ａ，６２１Ａに差し込むことによってシート状商品見本８１が位置決めされるものであるので、重複する説明は割愛するが、シート状商品見本８１の左右のスリット８１０、８１０をレール部６２Ａに形成した一対のスリット６２１Ａ，６２１Ａに差し込むことによってシート状商品見本８１が位置決めされるとともに前方側に凸となるように湾曲した状態が維持されることにより薄いプラスチックシートからなるシート状商品見本８１を起立姿勢に自立させることが可能となる。このように、ディスプレイ台１Ａに取付けられた商品見本展示用アタッチメント６Ａのレール部６２Ａと商品載置台３Ａの複数の係合穴３１１Ａにシート状商品見本８１と立体状の商品見本８０を適宜取付けることにより、シート状商品見本８１と立体状の商品見本８０を同一のディスプレイ台１Ａに並べて展示することができるものである。
【００５０】
前述した本発明の実施の形態２に係る自動販売機の商品見本展示装置によれば、本体キャビネット１０の前面を開閉する外扉２０に形成されたディスプレイ室５０内に配設され、複数の商品見本８０を展示するディスプレイ台１Ａと、前記ディスプレイ台１Ａ上に展示された複数の商品見本８０に対応して商品のコールド，ホット状態を表す冷温情報７１及び商品の価格情報７３を表示する商品情報表示部品７とを備え、前記商品情報表示部品７をディスプレイ台１Ａの前面に設置してなる自動販売機の商品見本展示装置において、前記ディスプレイ台１Ａの前面に配設されて当該ディスプレイ台１Ａに係止固着される横長帯状の透明平板部６１Ａ、及び当該透明平板部６１Ａの上部に連ねて形成され、薄い平板からなるシート状商品見本８１の下部に上下方向に延在するとともに下方に開放した二つのスリット８１０，８１０が差し込まれる左右方向に延在する塀状のレール部６２Ａを備え、当該レール部６２Ａに前記シート状商品見本８１の二つのスリット８１０，８１０間の幅寸法よりも小さい幅寸法で前記各シート状商品見本８１のスリット８１０，８１０と相互に係合するスリット６２１Ａ，６２１Ａを形成してなる商品見本展示用アタッチメント６Ａを設け、当該商品見本展示用アタッチメント６Ａの透明平板部６１Ａを前記商品情報表示部品７に前後に重ねて装着したことにより、シート状商品見本８１を展示する商品見本展示用アタッチメント６Ａを立体状の商品見本を展示するディスプレイ台１Ａに追加装備することができるので、立体状の商品見本８０とシート状商品見本８１を一つのディスプレイ台１Ａに混合して展示することができ、また、前記商品見本展示用アタッチメント６Ａのレール部６２Ａに形成したスリット６２１Ａ，６２１Ａ間の幅寸法がシート状商品見本８１のスリット８１０，８１０間の幅寸法よりも小さいことから、前記商品見本展示用アタッチメント６Ａのレール部６２Ａに形成したスリット６２１Ａ，６２１Ａにシート状商品見本８１のスリット８１０，８１０を差し込んで相互に係合させることによりシート状商品見本８１が強制的に左右方向に湾曲させられる。したがって、薄い平板からなるシート状商品見本８１の剛性を高めることができ、これによりシート状商品見本８１を起立姿勢に維持することができる。
（実施の形態３）
上記実施の形態２においては、ディスプレイ台１Ａの前面部に冷温表示部材７２と価格表示部材７４と重ねて配設したものについて説明したが、価格表示部材７４に代えて商品価格を表す価格情報をデジタル表示する価格表示ユニットを配備し、ディスプレイ台１Ａの前面部に前記価格表示ユニットと冷温表示部材と前後に重ね合わせて配設したものの場合、前記価格表示ユニットの前面に配備される冷温表示部材と前後に重ね合わせて商品見本展示用アタッチメント６の透明平板部６１を配設することもできるものであり、以下にディスプレイ台の前面に冷温表示部材と価格表示ユニットを配備したものについて説明する。図１１〜図１３は、本発明の実施の形態３に係る自動販売機の商品見本展示装置を示す。なお、ディスプレイ台は左右対称であるので、図では正面視右側を代表して図示している。
【００５１】
図１１において、１Ｂはディスプレイ台であり、このディスプレイ台１Ｂは薄板鋼板製の商品載置台３Ｂと固定部材２Ｂとからなる。前記固定部材２Ｂは商品載置台３Ｂを支持し、当該固定部材２Ｂがディスプレイ室５０の中扉６０（図１４参照）に係止固定される。前記商品載置台３Ｂは、商品見本８０が嵌合係止される複数の係合穴３１１Ｂを備えたステージ状の上面壁３１Ｂと、上面壁３１Ｂの両端から下方に延在する左右側壁３２Ｂ，３２Ｂとからなる。前記固定部材２Ｂは、後述する図１２に示すように、下面が開放した横長の箱形に形成され、前記商品載置台３Ｂを被せることができるように当該商品載置台３Ｂよりも一回り小さく形成されている。前記固定部材２Ｂに対して商品載置台３Ｂは着脱自在に設けられている。前記固定部材２Ｂの前面壁２３Ｂの前面には複数の商品見本８０に対応して当該商品見本８０のコールド，ホット状態を表す冷温情報７５が表示された冷温表示部材７６が着脱自在に係止保持され、また、前記固定部材２Ｂの前面壁２３Ｂの背面には商品価格の価格情報７８をデジタル表示する価格表示ユニット７７が固定されている。前記価格表示ユニット７７、及び冷温表示部材７６が商品情報表示部品７を構成し、この例では冷温表示部材７６、及び価格表示ユニット７７が左右に２分割されている。
【００５２】
図１２はディスプレイ台１Ｂの分解斜視図、図１３はディスプレイ台１Ｂの組立てを示す分解斜視図であり、これらの図を用いて各部材について更に説明する。
【００５３】
前記商品載置台３Ｂはステージ状の上面壁３１Ｂに複数の係合穴３１１Ｂが形成され、左右側面壁３２Ｂにはそれぞれ内側に向って突出する支持軸３５Ｂが取付けられている。この支持軸３５Ｂは、実施の形態２に示した支持軸３５と同一であり、支持軸３５Ｂの軸部（不図示）の上端側の周面の一部を削ぎ取って平坦面とした断面Ｄ状に形成されている。また、前記商品載置台３Ｂの前面壁３３Ｂは、商品載置台３Ｂの左右端部に化粧金として形成され、左右の前面壁３３Ｂの間は大きく切り欠かれて開口している。
【００５４】
前記商品載置台３Ｂとともにディスプレイ台１Ｂを構成する固定部材２Ｂは、上面壁２１Ｂと、上面壁２１Ｂの両端から下方に延在する左右の側壁２２Ｂと、上面壁２１Ｂの前後端から下方に延在する前面壁２３Ｂ及び後面壁２４Ｂにより下面が開放した横長の箱形に形成されている。前記固定部材２Ｂの上面壁２１Ｂ及び前面壁２３Ｂの中央部は大きく切り欠かれて開口しており、当該開口は桟２１１により左右に二分されている。また、前記固定部材２Ｂの側壁２２Ｂには、前記支持軸３５Ｂを嵌合支持する異形溝２６Ｂが形成されている。この異形溝２６Ｂは、実施の形態２に示した異形溝２６と同一であり、前記支持軸３５Ｂを回転可能に支える前半域の円弧状溝部２６１Ｂと、前記円弧状溝部２６１Ｂに連ねて後半域に形成され、前記支持軸３５Ｂの移動を拘束して商品載置台３Ｂを展示位置に保持するスライド溝部２６２Ｂと、前記円弧状溝部２６１Ｂとスライド溝部２６２Ｂとの中間位置から側壁２２Ｂ上縁に切欠き開口した挿脱溝部２６３Ｂとからなる。
【００５５】
前記固定部材２Ｂの前面壁２３Ｂの下端には前方側に折り返して形成された係止部２３１Ｂを備えている。この係止部２３１Ｂは、前面壁２３Ｂとの間に冷温表示部材７６を係止保持する係止溝を形成する。また、前記固定部材２Ｂの前面壁２３Ｂの左右両端部及び桟２１１には前記係止部２３１Ｂにより保持された冷温表示部材７６が左右方向にずれるのを防止する係止突起２３２が形成されている。なお、前記固定部材２Ｂの後面壁２４Ｂには、ディスプレイ室５０の中扉６０（図１４参照）に設けた角穴（不図示）に引っ掛けて当該固定部材２Ｂを定位置に固定する係合爪２５が切り起こし形成されている。
【００５６】
前記固定部材２Ｂの前面壁２３Ｂの背面に固着される価格表示ユニット７７は、図１２に示すように、７セグメント型数字表示器や液晶ディスプレイからなる表示部が実装された回路基板を内蔵する横長の枠体７７０を備え、当該枠体７７０の前面に前記表示部の表示面が露出する表示窓７７１が形成されている。この価格表示ユニット７７は、前記固定部材２Ｂの前面壁２３Ｂの背面に図示を省略したねじにより固着される。
【００５７】
前記固定部材２Ｂの前面壁２３Ｂに係止保持される冷温表示部材７６は、乳白色（光透過性）のアクリル樹脂により横長帯状に形成されるとともに冷温情報７５の表示領域が上下に間隔を置いて区分され、当該上下の表示領域にそれぞれ異なる冷温情報７５を互いに逆さにして表示してなる。この実施の形態では、冷温表示部材７６の上部の表示領域には「ＨＯＴ」の文字、下部の表示領域には「ＣＯＬＤ」の文字が互いに逆さまに表示されている。なお、図には明示されていないが、冷温情報７５は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報７５が表示された上下の表示領域の間の中間領域は、当該冷温表示部材７６を固定部材２Ｂの前面壁２３Ｂに形成された係止部２３１Ｂに装着した際に前記価格表示ユニット７７の表示窓７７１に対峙するように定められている。また、前記冷温表示部材７６を固定部材２Ｂの前面壁２３Ｂに形成された係止部２３１Ｂに装着した際、冷温情報７５を表示する上下の表示領域のうち、下方の表示領域が係止部２３１Ｂに隠れるように定められている。
【００５８】
なお、ディスプレイ台１Ｂ（横長の箱形の固定部材２Ｂ）の内部には、実施の形態２と同様に、照明光源としての蛍光灯（不図示）が配設され、当該蛍光灯からの光が固定部材２Ｂの上面壁２１Ｂの開口、及び商品載置台３Ｂの上面壁３１Ｂに形成した係合穴３１１Ｂを介して商品見本８０の内部に照射されるように構成されているものである。
【００５９】
次に、ディスプレイ台１Ｂの組立てについて説明すると、まず、図１３に示すように、固定部材２Ｂに価格表示ユニット７７を組付ける。この場合、横長の箱形の固定部材２Ｂの開放した下面から固定部材２Ｂの内部に価格表示ユニット７７を挿入し、固定部材２Ｂの前面壁２３Ｂの開口に価格表示ユニット７７が臨むように位置決めしたうえで価格表示ユニット７７を前面壁２３Ｂの背面にねじ止めする。このように、価格表示ユニット７７が組付けられた固定部材２Ｂをディスプレイ室５０の中扉６０（図１４参照）に取付ける。この固定部材２Ｂの中扉６０への取付けは、固定部材２Ｂの後面壁２４Ｂに、背面側に切り起しにより形成された係合爪２５を中扉６０に設けた角穴に挿入係止させる。これにより固定部材２が中扉６０の所定位置に固定される。次いで、中扉６０に固着された固定部材２Ｂに対して商品載置台３Ｂを、前記固定部材２Ｂの上方から被せるように装着する。この場合、商品載置台３Ｂの左右側壁３２Ｂに内側に向けて突出する支持軸３５Ｂを固定部材２Ｂの異形溝２６Ｂにおける挿脱溝部２６３Ｂに対峙させた上で、商品載置台３Ｂを固定部材２Ｂに被せる。そして、商品載置台３Ｂの上面壁３１Ｂの内壁が固定部材２Ｂの上面壁２１Ｂに当接すると、支持軸３５Ｂが固定部材２Ｂの異形溝２６Ｂに嵌合した状態で商品載置台３Ｂが固定部材２Ｂに一体化される。この後、商品載置台３Ｂを後方（中扉６０側）にスライドさせると、支持軸３５Ｂが異形溝２６Ｂのスライド溝部２６２Ｂに移動して商品見本展示位置にセットされる。
【００６０】
前述したように、固定部材２Ｂに対して商品載置台３Ｂを商品見本展示位置にセットした状態で、固定部材２Ｂの前面壁２３Ｂに形成した係止部２３１Ｂに冷温表示部材７６を装着する。この場合、冷温表示部材７６は、左端部若しくは右端部と中央部の係止突起２３２，２３２の間に位置させたうえで、係止部２３１Ｂの上方から冷温表示部材７６の背面を前面壁２３Ｂに沿わせつつ係止部２３１Ｂの保持溝に挿入する。これにより冷温表示部材７６はディスプレイ台１Ｂの前面に係止保持される。
【００６１】
前述したように、固定部材２Ｂの異形溝２６Ｂに支持軸３５Ｂを嵌合させて商品載置台３Ｂを商品見本展示位置にセットするとともに固定部材２Ｂの前面壁３３Ａの係止部２３１Ｂに冷温表示部材７６を装着したディスプレイ台１Ｂは、図１１に示すように、商品載置台３Ｂに載置された複数の商品見本８０を起立姿勢で展示している。そして、ディスプレイ台１Ｂの前面に位置する冷温表示部材７６及び価格表示ユニット７７によりそれぞれの商品見本８０のコールド，ホット状態を表す冷温情報７５及び商品価格の価格情報７８が表示される。この場合、冷温表示部材７６における冷温情報７５を表示した上下の表示領域のうちの上方の表示領域が表示（図示の場合、「ＨＯＴ」の冷温情報）され、冷温表示部材７６における冷温情報７５を表示した上下の表示領域の間の中間領域に価格表示ユニット７７の価格情報７８が表示される。前記価格表示ユニット７７の価格情報７８が表示される冷温表示部材７６における中間領域は光透過性の乳白色に着色されているので、価格情報７８が浮き上がって表示される。なお、価格表示ユニット７７の表示部に商品価格の数字のみを表示する場合には、エンマーク（\）を表示した透明板を冷温表示部材７６に重ね合わせて配設することができる。この場合、価格表示ユニット７７に透明板に表示したエンマーク（\）を照射するＬＥＤを設けると、冷温表示部材７６における中間領域に価格情報７８とともにエンマーク（\）も浮かび上がって表示される。
【００６２】
さて、この実施の形態３に係るシート状商品見本８１を起立姿勢でディスプレイ台１Ｂに展示するための商品見本展示用アタッチメント６Ｂの基本構成は、実施の形態１に係る商品見本展示用アタッチメント６と同一である。すなわち、図１２から分かるように、商品展示用アタッチメント６Ｂは、横長帯状の透明平板部６１Ｂ及び当該透明平板部６１Ｂの上部に連ねて形成されたレール部６２Ｂからなるプラスチック成形品からなる。前記透明平板部６１Ｂの上部に連ねて形成されたレール部６２Ｂは、透明平板部６１Ｂの上端から前方に突出する庇部６１０（図３の（ｃ）参照）の略中央から上側に突出し、左右方向に延在する塀状に形成されている。レール部６２Ｂの前面には差し込み溝６１１Ｂ（図１１の（ｂ）参照）が形成され、また、前記レール部６２Ｂには複数のスリット６２１Ｂ・・・が形成されている。この実施の形態３に係る商品見本展示用アタッチメント６Ｂが実施の形態１に係る商品見本展示用アタッチメント６と相違する点は、実施の形態１に係る商品見本展示用アタッチメント６が商品情報デジタルディスプレイ４の化粧枠４３に形成された左右の係止爪４３３の間の間隔に相当する横幅を有するものである、つまり、ディスプレイ台１の左右方向の略横幅に相当するものであるのに対し、前記ディスプレイ台１Ｂの横幅方向にｎ分割（ｎ＜２以上の整数）されてなる点である。具体的には、実施の形態２に係るディスプレイ台１Ａと同様に、ディスプレイ台１Ｂの横幅方向に２分割され、ディスプレイ台１Ｂを構成する商品載置台３に形成された複数の係合穴３１１Ｂの１／２の係合穴３１１Ｂに対応する長さのものとして構成されている。
【００６３】
次に、前記商品見本展示用アタッチメント６Ｂのディスプレイ台１Ｂへの取付けについて説明する。前記商品見本展示用アタッチメント６Ｂは、その透明平板部６１Ｂを、ディスプレイ台１Ｂを構成する固定部材２Ｂの前面壁２３Ｂに沿って配設された商品情報表示部品７に前後に重ね合わせて装着することによりディスプレイ台１Ｂの前面に配備される。具体的には、商品情報表示部品７を構成するところの冷温表示部材７６と固定部材２Ｂの前面壁２３Ｂとの間に商品見本展示用アタッチメント６Ｂの透明平板部６１Ｂを挿入し、前記冷温表示部材７６と固定部材２Ｂの前面壁２３Ｂにより透明平板部６１Ｂを挟持固定する。このように、ディスプレイ台１Ｂに装着された商品見本展示用アタッチメント６Ｂのレール部６２Ｂにシート状商品見本８１が取付けられる。このシート状商品見本８１のレール部６２Ｂへの取付けは、前述した実施の形態１と同様に、シート状商品見本８１の左右のスリット８１０、８１０（図３参照）をレール部６２Ｂに形成した一対のスリット６２１Ｂ，６２１Ｂに差し込むことによってシート状商品見本８１が位置決めされるものであり、重複する説明は割愛するが、シート状商品見本８１の左右のスリット８１０、８１０をレール部６２Ｂに形成した一対のスリット６２１Ｂ，６２１Ｂに差し込むことによってシート状商品見本８１が位置決めされるとともに前方側に凸となるように湾曲した状態が維持されることにより薄いプラスチックシートからなるシート状商品見本８１を起立姿勢に自立させることが可能となる。このように、ディスプレイ台１Ｂに取付けられた商品見本展示用アタッチメント６Ｂのレール部６２Ｂと商品載置台３Ｂの複数の係合穴３１１Ｂにシート状商品見本８１と立体状の商品見本８０を適宜取付けることにより、シート状商品見本８１と立体状の商品見本８０を同一のディスプレイ台１Ｂに並べて展示することができるものである。
【００６４】
前述した本発明の実施の形態３に係る自動販売機の商品見本展示装置によれば、本体キャビネット１０の前面を開閉する外扉２０に形成されたディスプレイ室５０内に配設され、複数の商品見本８０を展示するディスプレイ台１Ｂと、前記ディスプレイ台１Ｂ上に展示された複数の商品見本８０に対応して商品のコールド，ホット状態を表す冷温情報７５及び商品価格の価格情報７８を表示する商品情報表示部品７（冷温表示部材７６，価格表示ユニット７７）とを備え、前記商品情報表示部品７（冷温表示部材７６，価格表示ユニット７７）をディスプレイ台１Ｂの前面に設置してなる自動販売機の商品見本展示装置において、前記ディスプレイ台１Ｂの前面に配設されて当該ディスプレイ台１Ｂに係止固着される横長帯状の透明平板部６１Ｂ、及び当該透明平板部６１Ｂ上部に連ねて形成され、薄い平板からなるシート状商品見本８１の下部に上下方向に延在するとともに下方に開放した二つのスリット８１０，８１０が差し込まれる左右方向に延在する塀状のレール部６２Ｂを備え、当該レール部６２Ｂに前記シート状商品見本８１の二つのスリット８１０，８１０間の幅寸法よりも小さい幅寸法で前記各シート状商品見本８１のスリット８１０，８１０と相互に係合するスリット６２１Ｂ，６２１Ｂを形成してなる商品見本展示用アタッチメント６Ｂを設け、当該商品見本展示用アタッチメント６Ｂの透明平板部６１Ｂを前記商品情報表示部品７（冷温表示部材７６，価格表示ユニット７７）に前後に重ねて装着したことにより、シート状商品見本８１を展示する商品見本展示用アタッチメント６Ｂを立体状の商品見本を展示するディスプレイ台１Ｂに追加装備することができるので、立体状の商品見本８０とシート状商品見本８１を一つのディスプレイ台１Ｂに混合して展示することができ、また、前記商品見本展示用アタッチメント６Ｂのレール部６２Ｂに形成したスリット６２１Ｂ，６２１Ｂ間の幅寸法がシート状商品見本８１のスリット８１０，８１０間の幅寸法よりも小さいことから、前記商品見本展示用アタッチメント６Ｂのレール部６２Ｂに形成したスリット６２１Ｂ，６２１Ｂにシート状商品見本８１のスリット８１０，８１０を差し込んで相互に係合させることによりシート状商品見本８１が強制的に左右方向に湾曲させられる。したがって、薄い平板からなるシート状商品見本８１の剛性を高めることができ、これによりシート状商品見本８１を起立姿勢に維持することができる。また、ディスプレイ台１Ｂの前面側に配設された価格表示ユニット７７に重ねて当該ディスプレイ台１Ｂ上に展示された複数の商品見本に対応する商品のコールド，ホット状態を表す冷温情報７５を表示する冷温表示部材７６を備えた既設の自動販売機にも商品見本展示用アタッチメント６Ｂを簡単に追加装備することができるという効果を有するものである。
【符号の説明】
【００６５】
１，１Ａ，１Ｂ…ディスプレイ台、２，２Ｂ…固定部材、２Ａ…ブラケット（固定部材）、３，３Ａ，３Ｂ…商品載置台、４…商品情報デジタルディスプレイ、５…取付金具、６，６Ａ，６Ｂ…商品見本展示用アタッチメント、７…商品情報表示部品、１０…本体キャビネット、２０…外扉、３０…内扉、４１…液晶表示部、４２…デジタル表示ユニット、５０…ディスプレイ室、６０…中扉、６１，６１Ａ，６１Ｂ…透明平板部、６２，６２Ａ，６２Ｂ…レール部、７２，７６…冷温表示部材、７４…価格表示部材、７７…価格表示ユニット、８０…（立体状の）商品見本、８１…シート状商品見本、３１１…係合穴、６２１，６２１Ａ，６２１Ｂ…スリット、８１０…スリット、８１１…切欠。
【図１】
0005729214.tif 000002
【図２】
0005729214.tif 000003
【図３】
0005729214.tif 000004
【図４】
0005729214.tif 000005
【図５】
0005729214.tif 000006
【図６】
0005729214.tif 000007
【図７】
0005729214.tif 000008
【図８】
0005729214.tif 000009
【図９】
0005729214.tif 000010
【図１０】
0005729214.tif 000011
【図１１】
0005729214.tif 000012
【図１２】
0005729214.tif 000013
【図１３】
0005729214.tif 000014
【図１４】
0005729214.tif 000015